【手続補正書】
【提出日】平成15年11月28日(2003.11.28)
【手続補正１】
【補正対象書類名】明細書
【補正対象項目名】００４５
【補正方法】変更
【補正の内容】
【００４５】
図１（Ａ）乃至図１１に示す具体例において、折り返しダイポールアンテナ１０は、２つの放射部２１，２２を備える。２つの放射部２１，２２は、互いに他方と平行に接続される。図１（Ａ）乃至図１（Ｃ）に示す具体例において、コンダクタ１４は、コンダクタ部４２を支持する碍子（standoff）１６ａ、支柱（support）、腕木（bracket）、又はその他の適切な物理的な手段を介して、ある位置１６でグラウンドプレーン１２に機械的且つ電気的に接続される。放射部２１，２２は、グラウンドプレーン１２上の距離ｄの位置で支持される。誘電体である他の碍子１６ｂ、支柱、又は腕木は、コンダクタ部４１を支持する。具体的な無線周波数帯域（１７１０〜２１７０ＭＨｚ）においては、この距離ｄは、"１．２２""とされる。コンダクタ１４は、図１（Ｂ）に概略的に示すように、給電部２０がグラウンドプレーン１２によって支持され且つグラウンドプレーン１２から離隔されるように、屈曲部１５ａ，１５ｂで屈曲される。その結果、給電部２０は、一般に、グラウンドプレーン１２と平行とされる。給電部２０は、図示しないが、伝送路に対して電気的に接続するために適応されるＲＦ（Radio Frequency）入力部を有する。伝送路は、一般に、送信機や受信機のようなＲＦデバイスに対して電気的に接続される。一具体例としては、ＲＦ入力部がＲＦデバイスに接続する。


【手続補正２】
【補正対象書類名】明細書
【補正対象項目名】００４６
【補正方法】変更
【補正の内容】
【００４６】
２つの図示された放射部２１，２２は、同一の構造を有することから、放射部２２のみについて詳細に説明するものとする。放射部２２は、給電ダイポール（a fed dipole）２４及び無給電ダイポール（a passive dipole）２６を有する。給電ダイポール２４は、第１の１／４波長モノポール（a first quarter-wavelength monopole）２８及び第２の１／４波長モノポール（a second quarter-wavelength monopole）３０を有する。一具体例としては、第１の１／４波長モノポール２８がコンダクタ部４１の一端に接続される。また、コンダクタ部４１の他端は、給電部２０に接続される。さらに、第２の１／４波長モノポール３０は、コンダクタ部４２の一端に接続される。また、コンダクタ部４２の他端は、直接的な接続又は碍子１６ａを介して位置１６でグラウンドプレーン１２に電気的且つ物理的に接続される。


【手続補正３】
【補正対象書類名】明細書
【補正対象項目名】００４７
【補正方法】変更
【補正の内容】
【００４７】
ここで、コンダクタ部４２は、ナット及びボルト、ネジ、リベット、碍子、支柱又は腕木１６ａといった任意の適切な固定デバイスや、ハンダ接合、溶接、鑞接、及び圧成形を含む任意の適切な固定方法により、グラウンドプレーン１２に接続することができる。適切な接続は、コンダクタ１４とグラウンドプレーン１２との間の電気的及び機械的接続の両方を実現する。したがって、折り返しダイポールアンテナ１０は、落雷のような過渡現象によって引き起こされた過電圧及び過電流の状況から保護される。良好な電気的及び機械的な接続を形成する１つの方法としては、ドイツのワインガーデンにある"Ｔｏｘ  Ｐｒｅｓｓｏｔｅｃｈｎｉｋ有限会社"から利用可能な圧成形プロセス（以下、"圧成形プロセス"という。）がある。圧成形プロセスは、１つの金属表面を他の金属表面へと変形して圧縮し、いわゆるＴｏｘボタンを形成する。圧成形プロセスは、２つの金属表面をともにロックする圧力を用いる。このプロセスは、２つの金属表面をともに動かないようにするための個別の機械的な固定具の必要を除去する。したがって、圧成形プロセスによって放射部２１，２２がグラウンドプレーン１２に取り付けられる具体例においては、位置１６で生じるＴｏｘボタンが、放射部２１，２２に対して構造上の支持を与えるとともに、グラウンドプレーン１２に対して電気的な接続を与える。圧成形プロセスによってグラウンドプレーン１２にコンダクタ１４を取り付けることは、折り返しダイポールアンテナ１０の相互変調ひずみ（inter-modulation distortion；以下、ＩＭＤという。）を最小にする。また、溶接のような他のタイプの電気的接続も、折り返しダイポールアンテナ１０のＩＭＤを最小にする。


【手続補正４】
【補正対象書類名】明細書
【補正対象項目名】００４９
【補正方法】変更
【補正の内容】
【００４９】
図１（Ｃ）を参照すると、図１（Ａ）に示されるような折り返しダイポールアンテナ１０へと屈曲される前におけるコンダクタ１４を上方からみた図が示される。孔４２ａは、伝送路又はＲＦデバイスのコンダクタに対して、折り返しダイポールアンテナ１０を接続する目的で提供される。１つ以上の孔４４ａは、給電部２０とグラウンドプレーン１２との間の１つ以上の誘電体支持物の取り付けを容易にするために提供される。誘電体支持物は、スペーサ、誘電体のワッシャを備えたナット及びボルト、誘電体のワッシャを備えたネジ等を含む。


【手続補正５】
【補正対象書類名】明細書
【補正対象項目名】００５７
【補正方法】変更
【補正の内容】
【００５７】
択一的に、図７に示されるように、スタブ５０は、位置１６において当該スタブ５０及びグラウンドプレーン１２を通過して延在する誘電体の留め具５４ａによってグラウンドプレーン１２に取り付けられるかもしれない。スタブ５０の長さは、折り返しダイポールアンテナ１０の動作周波数における１／４波長である。スタブ５０の終端が開回路を形成していることから、折り返しダイポールアンテナ１０がその動作周波数で励起されたとき、コンダクタ部４２の終端においてグラウンドと電気的にショートされるようにみえる。これは、恰もコンダクタ部４２がグラウンドプレーン１２に電気的に接続されるかのように、折り返しダイポールアンテナ１０を同じ方法で動作させる。この配置で、放射する要素構造においてグラウンドに電気的に接続することはない。さらに、複数のアンテナのアレイについてアースするＤＣは、１／４波長のショート伝送路（図示されていない）の一端を給電部２０に電気的に接続することによって提供されるかもしれない。


【手続補正６】
【補正対象書類名】明細書
【補正対象項目名】００６２
【補正方法】変更
【補正の内容】
【００６２】
図１１は、図８に類似するさらに他の具体例を示しており、ＰＣＢに電気的且つ機械的に接合されている折り返しダイポールアンテナ１０を示している。コンダクタ部４２は、グラウンドプレーン１２に電気的且つ機械的に接続されない伝送路スタブ５０において終端する。図６のように、図１１におけるスタブ５０の長さは、折り返しダイポールアンテナ１０の動作周波数における１／４波長である。


【手続補正７】
【補正対象書類名】明細書
【補正対象項目名】図６
【補正方法】変更
【補正の内容】
【図６】（Ａ）は、本発明の実施の形態として示す折り返しダイポールアンテナの他の具体的な構成例を示す図であって、１／４波長スタブによって終端されたダイポールアンテナの他の具体的な構成例を示す図であり、（Ｂ）は、他の具体的な構成例として示す折り返しダイポールアンテナにおけるコンダクタの側面図である。
【手続補正８】
【補正対象書類名】明細書
【補正対象項目名】符号の説明
【補正方法】変更
【補正の内容】
【符号の説明】
１０  折り返しダイポールアンテナ
１２，４１２  グラウンドプレーン
１４，４１４  コンダクタ
１５ａ，１５ｂ，４１５ａ，４１５ｂ  屈曲部
１６  位置
１６ａ，１６ｂ  碍子
２０  給電部
２１，２１'，２１''，２２，２２'，２２''，４２１，４２２  放射部
２４，４２４  給電ダイポール
２６，４２６  無給電ダイポール
２８，４２８  第１の１／４波長モノポール
２９，３２，４２９，４３２  ギャップ
３０，４３０  第２の１／４波長モノポール
３４，３６，４３４，４３６  終端
４０，４４  ラジエータ入力部
４１，４２  コンダクタ部
４２ａ，４４ａ  孔
５０  スタブ
５２，５４  誘電体スペーサ
５４ａ  留め具
６２  タブ
６４  導電性コンポーネント
６６  誘電体支持物
７２  貫通孔


【手続補正９】
【補正対象書類名】図面
【補正対象項目名】全図
【補正方法】変更
【補正の内容】
【図１】
2004023797.tif 000001
【図２】
2004023797.tif 000002
【図３】
2004023797.tif 000003
【図４】
2004023797.tif 000004
【図５】
2004023797.tif 000005
【図６】
2004023797.tif 000006
【図７】
2004023797.tif 000007
【図８】
2004023797.tif 000008
【図９】
2004023797.tif 000009
【図１０】
2004023797.tif 000010
【図１１】
2004023797.tif 000011